(57)【特許請求の範囲】
【請求項１】
産業廃棄物を投棄すべき場所として選択された範囲の土地の周囲に雨水等の滲入を阻止する周壁を形成し、該周壁で囲んだ土地の表面に防水層を形成するとともに、該防水層との間に所定量の産業廃棄物を収納する空隙を形成するように前記周壁の上空を防水性のシート状の天幕である屋根部材で遮蔽するとともに、防水層と周壁と天幕とによって形成される空隙の内部気圧を外部気圧より高く保つために、天幕と周壁との間に形成する通気路と、天幕から前記周壁の内側に下垂する可撓性の弁幕とからなる加圧手段により加圧し、前記空隙内に産業廃棄物を収納した後前記空隙を密閉し、その後、前記空隙内の空気を抜いて前記屋根部材を産業廃棄物上に密着させることによって、産業廃棄物を前記防水層と周壁と屋根部材とによって包装して埋め立てることを特徴とする産業廃棄物の埋立て処理方法。
【請求項２】
少なくとも一個所に遮蔽可能な搬入口を有し、一定範囲の土地の周囲に形成する防水構造の周壁と、該周壁内の土地の表面に形成する防水層と、前記周壁に周縁部を連結し、前記防水層との間に空隙を形成するように前記周壁の上空に張設する防水性のシート状の天幕である屋根部材からなる天幕と、該天幕の中間部を支持する取り外し可能な支柱と、防水層と周壁と天幕とによって形成される空隙の内部気圧を外部気圧より高く保つ加圧手段とを備え、この加圧手段は、天幕と周壁との間に形成する通気路と、前記天幕から前記周壁の内側に下垂する可撓性の弁幕とからなることを特徴とする産業廃棄物の包装構造体。
【発明の詳細な説明】
【０００１】
【発明の属する技術分野】
この発明は、埋め立てた産業廃棄物からの有害物質や異臭等の浸出、拡散を将来的に防止することができる産業廃棄物の埋立て処理方法、並びに、この方法を実施するために、産業廃棄物を埋立て処理するに際し、産業廃棄物を水密性の構造体によって包装して埋め立てることによって、経時的、将来的に埋め立てた産業廃棄物からの有害物質等の浸出等を防ぐようにした産業廃棄物の包装構造体に関し、殊に、埋め立て作業中においてもこれらの目的が達せられる包装構造体に関する。
【０００２】
【従来の技術】
産業廃棄物は、その種類に応じて化学処理、焼却処理、これができないものについては、埋立て処理が選択される。埋立て処理には、その性質上広大な廃棄用地が必要であり、廃棄用地には、通常、市街地から一定の距離が保たれ、かつ、地価が安くまとまった敷地を取得できる山間の谷間の土地が選択される。これは、低位置から高位置に廃棄物を投棄することに比べ、高位置から低位置に廃棄する方が格段に低コストで済むからである。
【０００３】
選択された傾斜地は、作業性を考慮して中間の数箇所に犬走りを設けた階段状に整地するとともに、有害物質が地中に浸出して河川の支流に混入したり、地中を伏流する地下水を介して拡散することによって、環境を汚染することを防止するために、廃棄用地全面に防水シートを施して使用される。また、雨水が集中する傾斜地の底の位置には、汚水処理施設が設けられ、降雨時およびその後に産業廃棄物から流出する汚水に対し、ろ過、薬品処理、ｐＨ調整等の所定の無害化処理をした上、周辺環境中に放出するようにしている。
【０００４】
このような廃棄用地は、当然に、その土地の規模にしたがって産業廃棄物の収容量に限界があり、産業廃棄物が所定の容量に達することによって閉鎖される。この際、汚水処理施設は、廃棄用地の閉鎖と同時に閉鎖されることもあり、閉鎖後も暫く運転続行され、有害物質が所定の基準値を下回った時点で閉鎖されることもある。また、閉鎖後、投棄された廃棄物上に盛り土をして人為的に表土を形成することもあるが、大部分は、自然の浄化力に期待し、そのまま放置される。これらのいずれであるかは、廃棄物中に占める主たる廃棄物の種類や量によって異なることでもあり、最終的には、廃棄用地の管理責任者である自治体等の判断に委ねられることとなる。
【０００５】
【発明が解決しょうとする課題】
かかる従来の産業廃棄物の埋立て処理においては、廃棄用地の使用中および閉鎖後の汚水処理施設の運転が必要であり、廃棄用地から流出する汚水の汚染度が廃棄物の収容量にしたがって逓増するため、汚水処理施設のランニングコストが無視し得ないばかりでなく、廃棄用地の閉鎖後に投棄された廃棄物からの異臭や有害物質が現在においても、また、将来的にも漏出、浸出しないことが方法論的にも事実上も担保されていないため、周辺住民は、長年月に亘って環境汚染による不確定的な危険に脅かされ続けなければならないという問題があった。このことは、埋立て処理施設の建設に対して、周辺住民からの強力な反対を伴う事実からも実証されることである。
【０００６】
この発明は、埋立て処理を要する産業廃棄物が年々逓増する傾向と、上記のような埋立て処理の現状とに鑑み、埋立てする産業廃棄物を周辺環境から隔離することが可能な方法論と、その方法論を最も容易に実施するための実体としての産業廃棄物の包装構造体を提供しようとするものである。
【０００７】
【課題を解決するための手段】
この発明は、上記の目的を達成するために次のような方法および構造を採用する。すなわち、その方法としては、産業廃棄物を投棄すべき場所として選択された範囲の土地の周囲に雨水等の滲入を阻止する周壁を形成し、該周壁で囲んだ土地の表面に防水層を形成するとともに、該防水層との間に所定量の産業廃棄物を収納する空隙を形成するように前記周壁の上空を防水性のシート状の天幕である屋根部材で遮蔽するとともに、防水層と周壁と天幕とによって形成される空隙の内部気圧を外部気圧より高く保つために、天幕と周壁との間に形成する通気路と、天幕から前記周壁の内側に下垂する可撓性の弁幕とからなる加圧手段により加圧し、前記空隙内に産業廃棄物を収納した後前記空隙を密閉し、その後、前記空隙内の空気を抜いて前記屋根部材を産業廃棄物上に密着させることによって、産業廃棄物を前記防水層と周壁と屋根部材とによって包装して埋め立てることを特徴とする。
【０００８】
このような構成によれば、地表の防水層と周壁と、その上空の屋根部材とは、いずれも水密性であり、水密性であるということは、気密性であるということでもある。そこで、これらによって囲んで生じる空隙は、汚水、臭気を問題にする限りにおいては、周辺環境から隔離された状態であり、この空隙内に産業廃棄物を投棄することによって、投棄過程途中における汚水、臭気の漏出を阻止することができる。また、空隙内は、風雨に曝されることがないので、天候に左右されることなく着実に埋立て作業を進めることができる。さらに、産業廃棄物が所定の収容量に達した後は、屋根部材を産業廃棄物上に密着させることで、投棄された産業廃棄物を地表の防水層と周壁と屋根部材とによって包装した状態が実現されるので、当該廃棄用地閉鎖後においても、将来に亘って汚水、臭気の浸出、漏出が防止される。そして、その内部気圧を外部気圧より高く保つ加圧手段を伴うが、この加圧手段によって内部気圧を外部気圧より高く保つことによって、天幕の重量を支柱とともに空気圧によっても支持することができるので、支柱が、より取り外しが容易な簡単なもので足りるとともに、天幕に弛みが生じることを有効に防止し、雨や雪の滑落を促すことができる。加圧手段は、具体的に、天幕と周壁との間に形成する通気路と、天幕から周壁の内側に下垂する可撓性の弁幕とから構成する。この構成では、天幕から下垂する弁幕が可撓性であるところから、この弁幕は、天幕との接続個所を中心に、周辺の空気の流れに応じて周壁の内側から離れ、または、周壁の内側に密着するように揺動することができる。したがって、防水層と周壁と天幕とによって形成された空隙外の空気は、通気路を介して弁幕を押しのけて空隙内に進入することができる反面、空隙内の空気は、周壁に密着する弁幕に遮断されて空隙外に漏れ出すことができないので、周辺環境に負担を強いることのない四季を通じての、あるいは、周辺地形に基づく自然風を利用して屋内部気圧を外部気圧より高く保つことができる。
【０００９】
一方、本発明の産業廃棄物の包装構造体は、少なくとも一個所に遮蔽可能な搬入口を有し、一定範囲の土地の周囲に形成する防水構造の周壁と、該周壁内の土地の表面に形成する防水層と、前記周壁に周縁部を連結し、前記防水層との間に空隙を形成するように前記周壁の上空に張設する防水性のシート状の天幕である屋根部材からなる天幕と、該天幕の中間部を支持する取り外し可能な支柱と、防水層と周壁と天幕とによって形成される空隙の内部気圧を外部気圧より高く保つ加圧手段とを備え、この加圧手段は、天幕と周壁との間に形成する通気路と、前記天幕から前記周壁の内側に下垂する可撓性の弁幕とからなることを特徴とする。
【００１０】
このような構成によれば、防水層と周壁と天幕とによって、産業廃棄物を収容するための水密性かつ気密性の空隙を形成することができるとともに、産業廃棄物を収容後は、支柱を除去し天幕を降下することによって、投棄した産業廃棄物を防水性のシート材料で被覆することでができるので、最終的に産業廃棄物は、防水層と周壁と天幕によって包装された状態となり、上記、産業廃棄物の処理方法を簡単に実施することができる。
【００１１】
なお、上記の構成に係る産業廃棄物の包装構造体は、その内部気圧を外部気圧より高く保つ加圧手段を伴うが、この加圧手段によって内部気圧を外部気圧より高く保つことによって、天幕の重量を支柱とともに空気圧によっても支持することができるので、支柱が、より取り外しが容易な簡単なもので足りるとともに、天幕に弛みが生じることを有効に防止し、雨や雪の滑落を促すことができる。
【００１２】
加圧手段は、具体的に、天幕と周壁との間に形成する通気路と、天幕から周壁の内側に下垂する可撓性の弁幕とから構成する。この構成では、天幕から下垂する弁幕が可撓性であるところから、この弁幕は、天幕との接続個所を中心に、周辺の空気の流れに応じて周壁の内側から離れ、または、周壁の内側に密着するように揺動することができる。したがって、防水層と周壁と天幕とによって形成された空隙外の空気は、通気路を介して弁幕を押しのけて空隙内に進入することができる反面、空隙内の空気は、周壁に密着する弁幕に遮断されて空隙外に漏れ出すことができないので、周辺環境に負担を強いることのない四季を通じての、あるいは、周辺地形に基づく自然風を利用して屋内部気圧を外部気圧より高く保つことができる。
【００１３】
また、上記の加圧手段を有するものについては、これに重ねて、上記の加圧手段を有しないものについては、加圧手段として、空隙内に空気を吹き込むブロア装置を伴うことができる。ブロア装置を単独で用いるときは、内部気圧を高く保つための通気路や弁幕を省略することができるので、天幕の周縁部の構造および天幕と周壁との連結構造を簡略なものとすることができる。また、ブロア装置を弁幕等と併用するときには、ブロア装置は、自然風が利用できない微風あるいは無風下においても、弁幕等のバックアップとして内部気圧を高く保つことができる。
【００１４】
【発明の実施の形態】
以下、図面を引用しながら本発明の実施の形態を説明する。産業廃棄物の埋立て処理方法は、廃棄用地Ｆ３として確保された土地に構築する包装構造体１００を使用して実施する（図１）。ここで、好適な場所として選択された廃棄用地Ｆ３の概略を説明する。市街地ＨＰの東側は、低標高の山々Ｍ１・・・Ｍ４を連ねる山地になっており、西側には、海洋が広がっている。市街地ＨＰと山地との間には、小高い丘陵地Ｆ１、Ｆ２が存在し、市街地ＨＰからは、丘陵地Ｆ１、Ｆ２を経由して山地に至る複数ルートの道路Ｒ１…Ｒ６設置されている。また、山地から流出する河川（同図に点線で示す）は、ほぼ、道路Ｒ１・・・Ｒ６に沿って海洋側に向かって走っている。このような地勢において、廃棄用地Ｆ３としては、市街地ＨＰから丘陵地Ｆ２の南側を通って、山Ｍ３に向かう道路Ｒ１の支分道路である道路Ｒ２傍の緩傾斜地が選択されている。この廃棄用地Ｆ３は、海洋と山Ｍ３とを結ぶ方向に走る谷筋線ＶＲの正面に当たる山Ｍ３の北西側斜面に位置し、市街地ＨＰとは、約９キロメートル隔たっている。
【００１５】
産業廃棄物の包装構造体１００は、廃棄用地Ｆ３の一定範囲を取り囲むように形成する周壁２０と、取り囲んだ土地の表面に形成する防水層１０と、周壁２０の上空に張設する天幕３０と、天幕３０を支持する支柱４０と、加圧手段５０A等からなる（図２、図３）。
【００１６】
包装構造体１００は、廃棄用地Ｆ３の傾斜に沿って道路Ｒ２から下方に垂れ下がるように設置されている。周壁２０の平面形状は、大きく隅切りを施した長方形型であり、その側面形状は、谷側に向かって高さが漸増する形状が採用されている。周壁２０の道路Ｒ２側には、遮蔽扉２０Ｂを備える搬入口２０Aが形成されるとともに、搬送車ＴＲの旋回用地Ｆ４が確保され、包装構造体１００は、旋回用地Ｆ４を介して道路Ｒ２に接続している。天幕３０は、周壁２０の上空全体に及んで設けられており、天幕３０の中間部は、５本の支柱４０、４０によって支持されている。各支柱４０は、複数本のワイヤロープ４７、４７を伴い、ワイヤロープ４７、４７は、各支柱４０と周壁２０との間および支柱４０と支柱４０との間に張設されている。
【００１７】
加圧手段５０Aの実質は、タービン式の大型ブロア装置であり、旋回用地Ｆ４の横に２基併設されている。各加圧手段５０Aは、それぞれ、ダクト５２を介して防水層１０と周壁２０と天幕３０とによって周辺環境から隔絶された内部空隙に連絡している。なお、このような状態において、山Ｍ３は、包装構造体１００の前方に位置し、谷筋線ＶＲは、ほぼ後方に位置している。また、包装構造体１００の内部には、搬入された廃棄物を押し均す重機Ｔ、Ｔが配置されている。
【００１８】
防水層１０は、廃棄用地Ｆ３を階段状に整地した上で形成される（図４）。これは、土木工学的に崩落し難い安定な法面を形成するとともに、包装構造体１００の内部容積を増大させ、また、塊状の重量廃棄物が斜面に沿って転落するのを防ぐ趣旨である。ただし、周壁２０の内側に沿った相当幅は、重機Ｔの昇降路１０Aとして斜面を残してある。なお、防水層１０は、整地後の廃棄用地Ｆ３の表面に吹付け施工する防湿剤入のモルタル層１２と、このモルタル層１２上に敷設するゴム系の防水マット層１１との二層からなり、モルタル層１２は、法面の土留め部材を兼ねている。また、各支柱４０は、廃棄用地Ｆ３の水平部分に独立基礎４１を有するとともに、その先端部は、キャップパイプ４４を伴う二重パイプ構造になっている。ワイヤロープ４７、４７は、このキャップパイプ４４を介して支柱４０に取り付けられている。
【００１９】
各支柱４０は、型成形したコンクリート製の独立基礎４１とポール４３とキャップパイプ４４とからなる（図５）。独立基礎４１には、アンカボス４２が埋め込まれ、アンカボス４２は、独立基礎４１の中心部から上方に突出している。ポール４３は、小径で十分な強度を確保可能な一本の高張力鋼管からなり、地中に埋設した独立基礎４１のアンカボス４２に嵌め込んで位置決めされる。したがって、防水マット層１１の所定位置には、アンカボス４２を挿通するための透孔Ｈ２が設けられている。キャップパイプ４４は、ポール４３より一回り大径の金属パイプからなり、その上端部には、ネジ孔Ｈ１、Ｈ１を設けたフランジ４５が取り付けられている。また、キャップパイプ４４の外周部には、異方向に向けて複数の金輪４４ｂが溶接されている。キャップパイプ４４は、遊嵌状態でポール４３の先端外側に嵌め込まれ、したがって、支柱４０全体は、キャップパイプ４４の長さ相当伸長動作することができる。各ワイヤロープ４７は、その一端を金輪４４ｂに通し、クランプ金具４７ａで締め付けることによってキャップパイプ４４に連結されている。
【００２０】
天幕３０は、防水性のシート材料３１、３１を立体縫製してなる（図６、図７）。シート材料３１として好適なものは、防水性に加えて撥水性を有するものであり、ここでは、強靱な網線３１Ｓを補強材として含み、薄く着色した半透明のビニール製のシートを用いている。このシート材料３１の光透過率は、約７０％であり、昼間、特別の照明設備を要することなく包装構造体１００内における作業性を確保するとともに、屋内温度が過度に上昇しないようにする配慮である。
【００２１】
天幕３０の各部を構成するシート材料３１は、互いに重ね合わせた上、この部分を表裏からテント布地からなる補強シート３２、３２で挟んで縫着されている（図６）。また、天幕３０の周縁部は、ロープ３３を巻き込んで纏めてあり、周縁部からの亀裂を防止するとともに、一定の重みを付与してある。天幕３０の裏面側には、周縁部から一定の間隔を保ち、テント布地に鳩目金具を打ち付けた多数の係止片３５、３５が列設されている。さらに内側には、同様に周縁部から一定の間隔を保つように可撓性のシート材料からなる多数枚の弁幕３４、３４が列設されている。この弁幕３４は、その上端縁のみを天幕３０に縫着してあり、その下端縁は、天幕３０の姿勢に拘らず下垂姿勢をとる。なお、弁幕３４、３４相互は、水平方向に重ね代を有する。また、弁幕３４のシート材料には、天幕３０の端切を利用している。
【００２２】
立体縫製によって多数のシート材料３１が寄り集まる天幕３０のコーナ部分には、さらに、表裏から補強シート３２が当てられ、各支柱４０は、天幕３０のコーナ部分に位置するように設定されている（図７）。また、この部分には、支柱４０頂部のブラケット４５のネジ孔Ｈ１に対応する透孔Ｈ３が設けられ、天幕３０は、ネジ孔Ｈ１に対応するボルトＢ１、Ｂ１と、さらに、透孔Ｈ３に対応する透孔Ｈ４を形成したカバー４８とによって支柱４０の頂部に固定される。
【００２３】
一方、天幕３０の周縁部およびワイヤロープ４７の他端は、周壁２０の上端部に連結される（図８）。なお、周壁２０は、木造建物の布基礎と同等の構成により、すなわち、廃棄用地Ｆ３を帯状に掘削し、ここに栗石を敷設した上、突き石をし、これに捨てコンクリートを打設したものを基礎部２１とする。また、基礎部２１上に鉄筋を配設し、所定の高さに型枠を組み、これにコンクリートを打設したものを壁部２２とする。ただし、壁部２２の上端部屋内側には、弁幕３４の弁座としての突条２３が周壁２０全体に亘って連続して形成される他、アイボルト２６、ステー２５が取り付けられている。アイボルト２６は、壁部２２の上端面に埋め込まれ、支柱４０からのワイヤロープ４７の他端は、アイボルト２６に通した上、クランプ金具４７aを用いて固定されている。
【００２４】
ステー２５は、金属の丸棒材からなり、壁部２２の上端面に一定間隔で設けた多数のスタッドアーム２４、２４の先端を相互に結ぶように溶接されている。各スタッドアーム２４は、壁部２２の外側斜め上に向けて曲げ加工してあり、この結果、ステー２５は、周壁２０に沿って、壁部２２の上端部を外側斜め上から取り囲むように位置し、天幕３０は、その周縁部の一部をステー２５から下垂させるように、ステー２５を介して周壁２０に連結されている。この際、弁幕３４は、壁部２２の突条２３の内側位置に下垂している（図８、図９）。
【００２５】
なお、天幕３０とステー２５とは、天幕３０の裏面に取り付けた係止片３５、３５にワイヤ３５aを挿通し、これをステー２５に巻き付けて連結されている。また、天幕３０と壁部２２の上端との間に形成される通気路Ｗと弁幕３４、３４とは、加圧手段５０Ｂを構成している。加圧手段５０Ｂは、屋外の空気を内部に導入する方向の空気の流れのみを許容する一種の一方向弁機構である（図９（Ｂ））。すなわち、通気路Ｗを通過した外気は、弁幕３４を突条２３から離すように押しのけて（同図に二点鎖線で示す）内部に進入することができる。一方、内部から外部方向に向かう空気の流れは、弁幕３４を突条２３に密着させてしまう。この結果、一旦内部に進入した空気は、外部へ逆流することができないのである。このような加圧手段５０Ｂは、周壁２０の全周に及んでおり、したがって、いずれの方向からの風をも取り込むことができるのである。なお、この弁幕３４は、人為的に突条２３の外側に押し出すことができ（同図に点線で示す）、これによって、外気の吹き込みを遮断することもできる。
【００２６】
このような包装構造物１００は、屋根部材がシート状の天幕３０でありながらも、加圧手段５０A、５０Ｂを介して内部気圧を調節することによって、よく風雪に耐えることができる。また、包装構造物１００の立地条件は、できる限りランニングコストの不要な自然風による加圧手段５０Ｂを活用することができるように考慮されたものである。すなわち、包装構造物１００の背後には、山Ｍ３が聳えており、山Ｍ３の北西側には、包装構造物１００を挟んで海洋方向に谷筋線ＶＲが走っている。そこで、陸地と海洋との温度変化特性に基づく陸風および海風、また、山地と平地の温度変化特性に基づく山風および谷風は、いずれも谷筋線ＶＲに沿って吹くこととなり、包装構造物１００付近では、常時、豊かな風量が得られるのである。
【００２７】
具体的に、四季を通じての雨水は、天幕３０が撥水性であることにより、速やかに天幕３０上から流れ落ちる。この際には、天幕３０の周縁部がステー２４を介して周壁２０の外側に下垂しているので、雨水を確実に周壁２０外に導くことができるとともに、横殴りの雨であっても、下垂した天幕３０の周縁部に阻止されるので、包装構造物１００内に進入することはできない。
【００２８】
また、冬季における降雪に対しては、加圧手段５０Ｂによって、微風または無風のときには加圧手段５０Aを用いて内部気圧を高め、天幕３０の張力を増大することで、その重量に対抗することができる。また、天幕３０自体も、補強材として網線３１Ｓを含む材料であるので、十分な破断強度を発揮することができるとともに、表面の平滑性にも優れているので、内部気圧を意図的に変化させ、天幕３０を張ったり弛めたりすることで、雪の層に亀裂を生じさせて滑落させるような操作も可能である。
【００２９】
さらに、強風に際しては、弁幕３４、３４の一定量を突条２３の外側に押し出し、風の吹き込み量を調節することで対応することができるとともに、予期しない突風等に際しても、各支柱４０がある程度の伸縮をし、天幕３０に加わる衝撃的なストレスをいなすことができるので、天幕３０の破断を防止することができる。なお、台風のような暴風時には、弁幕３４、３４を全部閉じて風の吹き込みを完全に遮断することが、天幕３０の破損を事前に防止する上で好ましい。
【００３０】
かかる包装構造物１００は、搬入口２０Aを介して継続的に搬入される産業廃棄物Ｄを内部に配置した重機Ｔ、Ｔを用いて廃棄用地Ｆ３の低い部分へ押し均すようにして利用する。この際、収納された産業廃棄物Ｄは、廃棄用地Ｆ３の表面に形成する防水層１０と、周壁２０と、天幕３０とによって、周辺環境から隔離された状態となる（図１０）。なお、特に搬入作業が頻繁である時間帯を除き、遮蔽扉２０Ｂは、臭気を拡散させないためにも、搬入作業の都度開閉することが好ましい。
【００３１】
包装構造物１００は、収納した産業廃棄物Ｄが所定量に達し、内部における作業空間が十分に確保し難くなった時点で閉鎖され、産業廃棄物Ｄは、包装構造物１００を利用して包装される。包装作業は、先ず、全ての弁幕３４を突状２３の外側に押し出した上で、搬入口２０Ａから離れている支柱４０のポール４３から順に切断し、キャップパイプ４４から引き抜くとともに、作業員は、より搬入口２０A側に位置する支柱４０へと移動する。作業員は、同様にこのポール４３を切断し、キャップパイプ４４から引き抜く。ここで、天幕３０は、キャップパイプ４４の重みで徐々に降下するが、弁幕３４を押して外部へ流出する空気の粘性抵抗により、天幕３０が一瞬にして落下するようなことはない。最後に、作業員は、搬入口２０Ａの最寄りの支柱４０を処理して搬入口２０Ａから外部に退避し、遮蔽扉２０Ｂを閉じる。この状況において弁幕３４は、内部から外部に流れる向きの空気の移動のみを許容するので、天幕３０は、やがて収納した産業廃棄物Ｄ上に密着し、結果的に、産業廃棄物Ｄは、包装構造物１００によって気密かつ水密に包装され、産業廃棄物Ｄを包装して埋め立てることを内容とする産業廃棄物Ｄの埋立て処理方法が実現される。
【００３２】
なお、以上の説明における産業廃棄物の用語は代表名詞として用いたものであり、一般廃棄物を意図的に除外する趣旨ではない。また、上記の包装構造体１００は、二種類の加圧手段５０A、５０Ｂを備えるものに関するが、加圧手段５０A、５０Ｂは、そのいずれか一方でもよく、加圧手段５０A、５０Ｂは、必ずしもこれを必要とするものでもない。天幕３０を支持する機能は、支柱４０の数を増加することで対応することができるからである。また、防水層１０や天幕３０の構成素材は、好適なものの例示である。
【００３３】
【発明の効果】
以上に説明したように、本発明に係る産業廃棄物の埋立て処理方法によれば、地表の防水層と周壁と屋根部材とは、いずれも水密性かつ気密性であり、これらによって囲んで生じる空隙内に産業廃棄物を投棄することによって、投棄過程途中における汚水、臭気の漏出を阻止することができるとともに、産業廃棄物が所定の収容量に達した後は、屋根部材を産業廃棄物上に密着させ、産業廃棄物を地表の防水層と周壁と屋根部材とによって包装することによって、廃棄途中ばかりでなく廃棄用地閉鎖後においても、将来に亘って投棄された産業廃棄物からの有害物質、汚水、臭気の浸出、漏出に起因する環境汚染を効果的に防止することができるという優れた効果がある。また、本発明に係る産業廃棄物の包装構造体によれば、地表の防水層と周壁と取り外し可能な支柱によって支持した天幕とによって空隙を形成し、この空隙内に産業廃棄物を収納した後、支柱を取り外すことによって、防水層と周壁とた天幕とで産業廃棄物を包装した状態が実現されるので、上記処理方法を合理的かつ極く簡単に実施できるという優れた効果がある。
【００３４】
【図面の簡単な説明】
【図１】包装構造体の立地条件を説明する地形図である。
【図２】包装構造体の実施例を示す平面図である。
【図３】上記実施例の側面図である。
【図４】上記実施例の側面側の断面図である。
【図５】上記実施例における支柱の斜視図である。
【図６】上記実施例における天幕の説明図である。
【図７】上記実施例における天幕の取り付け方を示す斜視図である。
【図８】上記実施例における周壁部分の斜視図である。
【図９】上記実施例における加圧手段の説明図である。
【図１０】上記実施例の正面側の断面図である。
【００３５】
【符号の説明】
Ｄ  産業廃棄物 Ｗ  通気路
１００  包装構造体 ５０A、５０Ｂ  加圧手段
１０   防水層 ２０  周壁
２０A  搬入口 ３０  天幕
３４  弁幕 ４０  支柱
【図１】
0003742898.tif 000002
【図２】
0003742898.tif 000003
【図３】
0003742898.tif 000004
【図４】
0003742898.tif 000005
【図５】
0003742898.tif 000006
【図６】
0003742898.tif 000007
【図７】
0003742898.tif 000008
【図８】
0003742898.tif 000009
【図９】
0003742898.tif 000010
【図１０】
0003742898.tif 000011